(57)【特許請求の範囲】
【請求項１】
上向きに水平に保つ把手を備え、
前腕を支持する前腕支持部と、
手で握る握り部を備えた前記把手において、
前記握り部は、逆手で握るとともに、前記前腕支持部の基端部に備えられ、
前記前腕支持部は、前腕全体を支持する形状となっており、
前記把手をキッチントレ―、フライパン、鍋等の食器の重心を通る線上に備えることを可能とすることを特徴とする把手。
【請求項２】
前記キッチントレ―、フライパン、鍋等の食器と前記把手が水平方向になす角度の少なくとも一方が鋭角度であることを特徴とする請求項1の把手。
【請求項３】
前記鋭角度は、前記前腕を体側に寄せ、前記キッチントレ―、フライパン、鍋等の食器の重心が体の正面に位置するように備えられることを特徴とする請求項2の把手。
【請求項４】
前記キッチントレ―、フライパン、鍋等の食器の重心と前記握り部の位置を同じくしたことを特徴とする請求項1の把手。
【請求項５】
前記把手と複数種のキッチントレ―、フライパン、鍋等の食器との連結部に係止部を備え、着脱することを特徴とする請求項１の把手。                                
【発明の詳細な説明】
【技術分野】
【０００１】
本発明は、梃子の原理を応用した把手とその機能を備える器具についてのものである。
【背景技術】
【０００２】
一般的に、手で持ち運びが可能な器具は、手で掴むための把手を備えている。従来の把手は、その把手が取り付けられた器具の重量を支えるために、握る人の握力がある一定以上なければ、その器具を持ち運ぶことはできない。特に数キログラム程度の重さの器具を片手で支え、且つその器具の向きを上向きに水平に一定に保つ必要がある場合は、例えば、片手が不自由な高齢者が食器を載せたキッチントレ―、フライパン、鍋等を運ぶ等の場合において、その器具の重さを支えるための握力を持たない人は運ぶことができない。また、その重さを支えるための握力を多少上回る人においても器具の向きを上向きに水平に保つことは難しく、前記例のキッチントレ―、フライパン、鍋等の食器や料理をこぼしてしまい非常に危険である。
特許文献1は、手の親指の力とその他の指の握力でトレイを支えているため構造上、外れ易く、トレイを上向きに水平に保つことに腕力が必要で、障害者、片手の不自由な人に向かないという問題がある。
特許文献2も同様に、シートを上向きに水平に保つことに腕力が必要で、障害者、片手の不自由な人に向かないという問題がある。
特許文献3は、梃子の原理を利用しているとしているが、手首（力点）〜取っ手部（支点）〜平棒の挟み部（作用点）の構成比が使用者にとってメリットのある梃子の原理は働かず、また、本願発明の器具を上向きに水平に保ち、使用者の身体方向に連結角度を有する構造になっておらずここに大きな違いがある。
【０００３】
この改善策として、器具の重心を作用点、握り部を支点、前腕を力点とした梃子の原理を利用し、より小さい力でより大きな力を発揮させ、器具を上向きに水平方向に保たせるために、使用者が器具の重心を使用者の体の正面に位置するように把手と器具との連結角度を備える器具を提案する。
【先行技術文献】
【特許文献】
【０００４】
【特許文献１】特開平7-241235
【特許文献２】実開平6-79371
【特許文献３】特開2003-334772
【発明の概要】
【発明が解決しようとする課題】
【０００５】
本発明は、上述の如く、上記先願の問題を解決し、握力の弱い、指間接の悪い高齢者、障害者等であっても、日常の中で健常者と同様に生活をしていくことを目的にしている。
【課題を解決するための手段】
【０００６】
この発明は、使用者が、拳または掌を上向きにした片手で支持して、器具を上向きに水平に保つ把手を備え、前記把手は前腕を支持する前腕支持部に握り部を備え、前記把手を前記器具の重心を通る線上、つまり、前記器具の左右のバランス線上に連結する器具である。
【０００７】
前記器具と前記把手が水平方向になす角度の少なくとも一方が、鋭角度になっている器具である。
【０００８】
前記鋭角度は、前記使用者が前記前腕を体側に寄せ、前記器具の重心を体の正面に位置するように備えられている。
【０００９】
前記器具の重心に前記握り部が備えられている。
【００１０】
前記把手が複数の種類の器具と着脱することができるきる把手である。
【発明の効果】
【００１１】
本発明に係る器具は、前腕支持部を力点、握り部を支点、把手と器具の重心を作用点とする把手構造を備え、使用者が高齢者、障害者等で、握力や腕力が弱くても梃子の原理を利用し、把手を器具の重心を通る線上、つまり、左右のバランスの線上に備えることで左右のバランスが維持され、器具を上向きに水平に保ちつつ、器具を上下左右に移動させることができるという効果を奏する。
【００１２】
また、把手と器具との連結角度を90度ではなく、どちらか一方を鋭角度にし、使用者の使用時の使いやすさを考慮している。
【００１３】
また、器具の重心が使用者の体の正面に位置するように連結角度を設定することで、器具の上下左右の移動及び静止状態を容易にし、作業効率を上げることができる。
【００１４】
また、作用点である器具の重心と支点である握り部の位置が一致することで梃子の原理を最大限に活用することができる。
また、一つの把手で、複数種の器具に対応することができる。
【図面の簡単な説明】
【００１５】
【図１】把手とキッチントレ―の正面図。
【図２】把手とキッチントレ―の側面図
【図３】把手とキッチントレ―の正面図
【図４】把手とキッチントレ―の正面図
【図５】着脱式の把手の正面図
【発明を実施するための形態】
【００１６】
実施形態を具体的に説明するが、説明を明瞭にするために、器具をキッチントレ―に置き換えている。本発明はこれらの実施例により何ら限定されるものではない。
【実施例】
【００１７】
図1は、本発明の実施の形態における把手100とキッチントレ―3の正面図であり、左手用の把手100を図示している。
把手100は、前腕支持部1に握り部2を備え、キッチントレ―3に連結している。
【００１８】
把手100は、前腕支持部1に握り部2を備え、前腕支持部1は力点、握り部2は支点、把手100とキッチントレ―3の重心6は作用点であり、3点間において梃子の原理が成り立ち、キッチントレ―3の表面を上向きに水平に一定に保つことができる構造になっている。
【００１９】
握り部2は、指になじみやすい窪みを備え、形状は円柱状、プレート状等で、材質は、軽量ゴムや軽量プラスチック、木、金属等である。表面をシリコンでコーティングし、掌になじむようにすることができる。握り部2の長さは、約8センチ〜12センチで、円柱状であれば直径は約2センチ前後である。握り部2は、通常、逆手で握り、極端に握力の弱い使用者は指を添えることのみで、握り部2を握らなくても梃子の原理の支点の役目を果たす。
【００２０】
前腕支持部1は、前腕を包み込むように逆かまぼこ型の溝を備え、または、前腕の下部を支えることのみのプレート状の形状がある。前腕支持部1の長さは、前腕の肘が収まる長さを備え、把手100が使用されるキッチントレ―3の重量に応じて、長短の選択ができ、長ければ大きな重量に対応でき、短ければ軽量対応となる。また、概算ではあるが、成人男性の肘部が収まる寸法は握り部2から約35センチ前後であり、この場合、35センチがキッチントレ―3に係る負荷を支えることのできる最大の力を発揮することができる寸法である。前腕支持部1の軽量化及び小型化を考慮しても手首間接より最低約5センチは肘側に支持部がなければ、力点と支点が近すぎて手首間接に負荷がかかるだけで、梃子の原理の効果を発揮することができない。重心6から握り部2までの寸法より握り部2から前腕の肘が接触する前腕支持部1までの寸法が長ければ長い程、より大きな梃子の原理が発揮される。前腕支持部1は、長手方向にスライド式にして長短を調整することができる。材質は、内面にシリコンを備え肌触りを良くし、本体前腕支持部は、軽量プラスチック、木、金属等である。
【００２１】
把手100の対向位置には通常把手8、もしくは把手100と同様の構造を備える把手を備えることができ、図1においては、通常把手8を図示している。
【００２２】
拳のスペース4は、握り部2を逆手で握るときの拳の盛り上がりを前腕支持部1の外側に出すスペースである。また、前腕支持部1に拳の盛り上がりを想定した窪みを備えてもよい。
【００２３】
図1は、使用者が左の前腕部200を把手100の前腕支持部1に置き、掌で握り部2を握って、キッチントレ―3の表面を上向きにして水平に保持しているところである。握り部2に掌を開いて添えておくだけでもよい。前腕支持部1の力点が握り部2の支点を介して重心6の作用点に係る重量を支えて、水平に均衡させているのである。
前腕支持部1の端は、前腕200の肘210の位置にあわせてあり、梃子の原理を最大限に発揮させ、キッチントレ―3の重量の負荷を最小限にする寸法である。重心6から握り部2までの寸法より握り部2から前腕支持部1の肘側の前腕支持部1の寸法が短くなると、使用者にデメリットの梃子の効果が発生する。
【００２４】
図1において、把手100の概算寸法は、前腕支持部1の肘を支持する端から握り部2までの約20センチ〜35センチであり、握り部2から連結部5までの寸法は約5センチ〜10センチである。このように把手100の全長は、25センチ〜45センチで設定することができる。把手100と連結するキッチントレ―3の重量が小さい場合、前腕支持部1は、手首間接より少なくとも肘側にあればよく、把手の全長を約20センチに設定できる。把手100の全長の長短は、連結するキッチントレ―の重量によって決まり、最大寸法は肘が接触する長さである。また、把手100の巾の一番広い部分は握り部2が備えられる部分であり、握り部2の長さが約8センチ〜12センチであれば、両側の厚み各約5ミリを考慮して約9センチ〜13センチとなる。材質は軽量プラスチックを使用することで約100グラム〜150グラムで対応することができる。
【００２５】
把手100とキッチントレ―3は、キッチントレ―3の重心を通る線上で連結され、言い換えると、キッチントレ―3の左右のバランスの線上7に連結され、左右のバランスを維持し、作用点である重心6はその線上にあり、梃子の原理が作用している。バランス線7は。無数に存在し、キッチントレ―3の形状が多角形であっても、同様である。また、キッチントレ―3の左右バランス線上としているが、厳密にはキッチントレ―3と連結している把手100の両方全体の重心を通る線上であるところの左右のバランス線上7である。
【００２６】
図2は、把手100の透視側面図である。
拳スペース4は、前腕支持部1の握り部2の下部分をくり抜いた状態で備えられているが、拳のスペースにあわせて前腕支持部1の握り部2の下部分を形成してもよい。把手100とキッチントレ―3の重心6がキッチントレ―3側にあるため、キッチントレ―3をテーブル等に置いた場合、把手100は、テーブルに接着せず、浮いた状態になる。
【００２７】
図3は、キッチントレ―3をキッチントレ―3の左右のバランス線上7にある重心6を使用者の正面に位置させるために、連結部5に鋭角度の連結角度Aを備えたときの正面図である。使用者が、楽な姿勢でキッチントレ―3を持ち上げ、そのキッチントレ―3を水平方向に一定に保つには、例えば、持ち上げに使う腕200の肘210を使用者の体側につけ、キッチントレ―3の重心6を身体の正面に位置させるようにする。そのためには、把手100とキッチントレ―3との間に鋭角度の連結角度Aが必要となる。また、健常な右手は通常把手8を握ることができ、キッチントレ―3を健常者と同様に上向きに水平に保持し、移動することができる。このように、使用者の使用時の力を一番発揮できる姿勢を予想し、把手100とキッチントレ―3の連結角度を設計することは、ユニバーサルデザイン的な見地である。
【００２８】
図4は、把手100の連結部に連結角度を備え、キッチントレ―3の重心6と握り部2の位置が一致しているときの正面図である。
作用点である重心6に支点である握り部2が一致しているため、力点である前腕支持部1に必要とされる力が小さくて済むため、梃子の原理が最大限に発揮され、把手100の全長を最大限に短くすることができる。
【００２９】
使用者の身体状況により、最適な連結角度Aがあるが、キッチントレ―3の左右バランス線上にキッチントレ―3と把手100が連結していていれば、連結部は複数ヶ所選択することができる。
【００３０】
図5は、把手100とキッチントレ―3との連結部5に係止部を備えて着脱するところの正面図である。把手100の係止部9は、キッチントレ―3の係止部10と係止するためのものである。係止方法は、連結固定と自在鉤の原理による固定方法がある。連結固定は、係止部9が握り部2に備えられる連結レバー11に接続していて、連結レバー11を掌で握り手前に引き、握り部2と係止部9の間に備えられたバネを収縮させ、上下に備えられる係止部9が上下に開き、キッチントレ―3に備えられる係止部10に係止させ、連結レバー11の握りを緩めて連結させる。その構造はマジックハンドの構造と同じである。自在鉤の原理による固定方法は、上下に備えられる把手100の係止部9の下部をキッチントレ―3の係止部11の下方に添え、把手100の係止部9上部をキッチントレ―3の係止部11の上方の引掛りに係止させるものである。材質は軽量プラスチック、木、金属等がある。
【００３１】
また、一つの把手100で複数種の器具に対応でき、例えば、調理器具などでは、キッチントレ―、鍋、フライパン等に備え、規格化されて一つの把手100で多くの器具との対応が可能になり、使用者にとっての利便性は高くなる。手首を返して掌を180度回転して真下に向け、前腕支持部を前腕の上部に位置させると、上から下への引っ張り運動を補助することができる。このように、セパレートタイプの把手に複数種の器具との連結を可能にすることで、第2の義手的な役目を付加することができる。
【００３２】
図5で示すように、把手100をセンターライン7で左右対称に形成することで左手用、右手用の区別をなくすことができる。
【００３３】
【産業上の利用可能性】
【００３４】
本発明である把手とその機能を備える器具は、腕力や握力の機能低下、片方の腕が不自由な高齢者、障害者に、日常生活の中で健常者にできるだけ近い生活環境を提供していこうとするものであり、同把手を装着することで、腕力、握力をサポートできる。セパレートタイプの把手に複数種の器具との連結を可能にすることで、第2の義手的な役目を付加することができる。
【符号の説明】
【００３５】
200  前腕  
210  肘
100  把手  
A  連結角度
1  前腕支持部
2  握り部
3  キッチントレ―
4  拳のスペース
5  連結部
6  重心
7  キッチントレ―の左右のバランス線(キッチントレ―の重心を通る線)
8  通常把手
9  把手の係止部
10  キッチントレ―の係止部
11  連結レバー
【要約】      （修正有）【課題】高齢者、身障者の腕力や握力の衰えをサポートする器具を提供する。【解決手段】器具は、前腕支持部１を力点、握り部２を支点、器具を作用点とする把手構造を備え、使用者が高齢者、障害者等で、握力や腕力が弱くても梃子の原理を利用し、作業者の作業性を考慮し連結角度を備え、器具を上向きに水平に保ち、上下左右に移動させる。【選択図】図１【図１】
0005508584.tif 000002
【図２】
0005508584.tif 000003
【図３】
0005508584.tif 000004
【図４】
0005508584.tif 000005
【図５】
0005508584.tif 000006